(57)【要約】      （修正有）【課題】楽器本体のデザインの自由度を向上できる鍵盤楽器の蓋体構造を提供する。【解決手段】前蓋８ａ及び後蓋８ｂにより鍵盤が覆われる閉状態から開状態にするときは、回動軸１５により後蓋８ｂに対して前蓋８ａが回動される。さらに、楽器本体３に内設される前部ガイド溝１９ａ、１９ｂ及びラック２０により、後蓋８ｂに配設される係合ピン１７及びピニオン１８の後方への移動が案内される。ラック２０は前部ガイド溝１９ａ、１９ｂより後方に位置するので、後蓋８ｂは、姿勢をほぼ維持したまま後方へ移動される。そのため、開状態にするために必要な楽器本体３の収容空間Ｓの高さは、少なくとも後蓋８ｂの厚さがあれば足りる。そのため、楽器本体３をデザインするときに考慮する収容空間Ｓを小さくでき、楽器本体３の全高を低く抑えることができる。よって、楽器本体３のデザインの自由度を向上できる。【選択図】図５
2012145727.tif 000002
【特許請求の範囲】
【請求項１】
鍵盤および前記鍵盤の後方に配設される操作パネルを開閉自在に覆う鍵盤楽器の蓋体構造において、
閉状態で奏者側に配設される前蓋と、
前記前蓋の後方に連結される後蓋と、
前記後蓋の前部および前記前蓋の後部に配設されると共に、前記後蓋に対して前記前蓋を回動可能に支持する回動軸と、
前記後蓋の前部の両側に連結される前部係合部と、
前記後蓋の後部の両側に連結される後部係合部と、
楽器本体に内設されると共に前記前部係合部と係合して前記後蓋の前後方向の移動を案内する前部案内部と、
前記前部案内部より後方に位置し前記楽器本体に内設されると共に前記後部係合部と係合して前記後蓋の前後方向の移動を案内する後部案内部とを備えていることを特徴とする鍵盤楽器の蓋体構造。
【請求項２】
前記前蓋は、前後方向において前記鍵盤の長さより短く形成されると共に、開状態の回動停止位置にあるときに奏者側に背面が対向し、
前記前部係合部、前記前部案内部、前記後部係合部、前記後部案内部の少なくとも一つは、前記後蓋の前後方向の移動を係止する係止部を備え、
前記係止部は、前記鍵盤が奏者側に対して開放される一方、前記操作パネルが奏者側に対して遮蔽される位置に形成されていることを特徴とする請求項１記載の鍵盤楽器の蓋体構造。
【請求項３】
前記前部係合部は、前記後蓋から下方に向かって延設されるアームに形成されると共に、前記前部係合部および前記前部案内部は、前記操作パネルより下方に位置することを特徴とする請求項１又は２に記載の鍵盤楽器の蓋体構造。
【請求項４】
前記前部係合部または前記前部案内部は、前記楽器本体の前後方向に延設されると共に、前部側に対して後部側が前記楽器本体の上方側に位置することを特徴とする請求項１から３のいずれかに記載の鍵盤楽器の蓋体構造。
【請求項５】
前記回動軸は、前記後蓋に対して前記前蓋を閉方向に回動するときに所定のトルクが生じるトルク軸ユニットが内蔵されていることを特徴とする請求項１から４のいずれかに記載の鍵盤楽器の蓋体構造。
【発明の詳細な説明】
【技術分野】
【０００１】
本発明は鍵盤楽器の蓋体構造に関し、特に、楽器本体のデザインの自由度を向上できる鍵盤楽器の蓋体構造に関するものである。
【背景技術】
【０００２】
従来より、電子ピアノ、電子オルガン等の鍵盤楽器の蓋体構造として、回動可能に構成される前蓋と、前後にスライド可能に構成される後蓋とを備えるものが知られている。例えば特許文献１には、閉状態で楽器本体に立設される後蓋（前板部）と、その後蓋に回動軸で連結される前蓋（鍵盤蓋）とを備えるものが開示されている。楽器本体は前後方向に形成されるガイド溝を備え、そのガイド溝に後蓋の両側に突設される係合ピンが係合されている。さらに、楽器本体は前後方向にスライド可能に支持されるスライドアームを備え、そのスライドアームはガイド溝の下方にガイド溝に沿って配設されている。これにより、閉状態では、鍵盤および鍵盤の後方に配設される操作パネルが前蓋および後蓋で覆われる。
【０００３】
開状態にするときは、回動軸を中心に前蓋を回動させて後蓋に前蓋を折り重ねる。これにより奏者側に対して鍵盤を開放することができ、演奏可能な状態にできる。この状態から、折り重ねた前蓋および後蓋をスライドアームの上に跳ね上げ、その跳ね上げ状態を維持したまま、スライドアーム及び前蓋と共に後蓋をガイド溝に沿って後方に移動させる。すると、スライドアーム、前蓋および後蓋が楽器本体に収容され、奏者側に対して鍵盤および操作パネルを開放することができ、奏者は操作パネルを操作しつつ鍵盤を操作することが可能になる。
【先行技術文献】
【特許文献】
【０００４】
【特許文献１】特開２００７−１８８０１９号公報
【発明の概要】
【発明が解決しようとする課題】
【０００５】
しかしながら特許文献１に開示される技術では、ガイド溝およびスライドアームは楽器本体の上下に位置しているので、楽器本体の収容空間に、スライドアーム、前蓋および後蓋が積み重なった状態で収容される。そのため、収容空間の高さは、スライドアームの高さ、前蓋および後蓋の厚さを加えた寸法より大きくする必要がある。その結果、楽器本体のデザインは収容空間の高さを考慮しなければならず、デザインに大きな制約が加わるという問題点があった。
【０００６】
本発明は上述した問題点を解決するためになされたものであり、楽器本体のデザインの自由度を向上できる鍵盤楽器の蓋体構造を提供することを目的とする。
【課題を解決するための手段および発明の効果】
【０００７】
この目的を達成するために、請求項１記載の鍵盤楽器の蓋体構造によれば、鍵盤およびその鍵盤の後方に配設される操作パネルを開閉自在に覆う鍵盤楽器の蓋体構造において、鍵盤が覆われる閉状態から開状態にするときは、回動軸により後蓋に対して前蓋が回動される。さらに、楽器本体に内設される前部案内部により後蓋の前部係合部の後方への移動が案内され、楽器本体に内設される後部案内部により後蓋の後部係合部の後方への移動が案内される。後部案内部は前部案内部より後方に位置するので、姿勢をほぼ維持したまま後蓋を後方へ移動させることができる。これにより、蓋体を収容して開状態にするために必要な楽器本体の収容空間の高さは、少なくとも後蓋の厚さがあれば足りる。そのため、楽器本体をデザインするときに考慮する蓋体の収容空間の高さを小さくすることができる。これにより、楽器本体の全高を低く抑えることができ、楽器本体のデザインの自由度を向上できる効果がある。
【０００８】
請求項２記載の鍵盤楽器の蓋体構造によれば、前部係合部、前部案内部、後部係合部、後部案内部の少なくとも一つが備える係止部により、後蓋の前後方向の移動を係止することにより、鍵盤を奏者側に対して開放する一方、操作パネルを奏者側に対して遮蔽できる。これにより、鍵盤楽器をアコースティックピアノに近い外観にすることができる。
【０００９】
さらに、前後方向において前蓋は鍵盤の長さより短く形成されているので、楽器本体の高さを必要以上に大きくしなくても、開状態の回動停止位置にあるときの前蓋の前端が、楽器本体から上方に突出しないようにできる。これにより請求項１の効果に加え、前蓋の長さとの関係においても、楽器本体の全高を低く抑えることができ、楽器本体のデザインの自由度を向上できる効果がある。
【００１０】
請求項３記載の鍵盤楽器の蓋体構造によれば、前部係合部は、後蓋から下方に向かって延設されるアームに形成されると共に、前部係合部および前部案内部は、操作パネルより下方に位置するので、前部係合部および前部案内部を、目立ち難いところに位置させることができる。これにより、請求項１又は２の効果に加え、前部係合部および前部案内部が目障りになることを防止でき、鍵盤楽器の見栄えを良くすることができる効果がある。
【００１１】
請求項４記載の鍵盤楽器の蓋体構造によれば、前部係合部または前部案内部は、楽器本体の前後方向に延設されると共に、前部側に対して後部側が楽器本体の上方側に位置しているので、後蓋を前方に移動させるにつれて後蓋の前部が下降し、後蓋を後方に移動させるにつれて後蓋の前部が上昇する。そのため、操作パネルを鍵盤より高い位置に配設したり奏者側に傾けて配設したりする場合でも、前後方向に後蓋が移動するときに、後蓋の前部が操作パネルに干渉することを防止できる。これにより、請求項１から３のいずれかの効果に加え、操作パネルの配設位置や操作パネルのデザインの自由度を向上できる効果がある。
【００１２】
請求項５記載の鍵盤楽器の蓋体構造によれば、回動軸は、後蓋に対して前蓋を閉方向に回動するときに所定のトルクが生じるトルク軸ユニットが内蔵されている。これにより、請求項１から４のいずれかの効果に加え、回動軸の周りに別体のトルク軸ユニットを設ける必要がないため、回動軸の周りのスペースを有効に活用できると共に、外観を美麗にできる効果がある。さらに、閉操作時に前蓋を緩やかに閉じることができる効果がある。
【図面の簡単な説明】
【００１３】
【図１】（ａ）は本発明の一実施の形態における蓋体構造が適用される鍵盤楽器の斜視図であり、（ｂ）は前蓋および後蓋の一部を破断して示す鍵盤楽器の一部破断平面図である。
【図２】前蓋および後蓋の側面図である。
【図３】鍵盤および操作パネルを遮蔽する図１（ｂ）のＩＩＩ−ＩＩＩ線における楽器本体の断面図である。
【図４】図３のＩＶ−ＩＶ線における楽器本体の断面図である。
【図５】鍵盤を開放する一方、操作パネルを遮蔽する楽器本体の断面図である。
【図６】鍵盤および操作パネルを開放する楽器本体の断面図である。
【発明を実施するための形態】
【００１４】
以下、本発明の好ましい実施の形態について、添付図面を参照して説明する。まず、図１を参照して、本発明の一実施の形態における蓋体構造が適用される鍵盤楽器１について説明する。図１（ａ）は本発明の一実施の形態における蓋体構造が適用される鍵盤楽器１の斜視図であり、図１（ｂ）は前蓋８ａ及び後蓋８ｂの一部を破断して示す鍵盤楽器１の一部破断平面図である。なお、図１（ａ）は譜面板９を立てると共に大屋根１０を開けた状態を示し、図１（ｂ）は譜面板９を倒すと共に大屋根１０を閉じた状態を示している。また、鍵盤楽器１の左右方向は奏者からみた方向を基準とし、前後方向については、鍵盤楽器１の奏者側を「前方」とする。この鍵盤楽器１の左右方向および前後方向の関係は、特許請求の範囲においても同様である。
【００１５】
図１（ａ）に示すように、鍵盤楽器１は、複数の脚２と、その脚２に支持される楽器本体３とを備えて構成されている。楽器本体３は、脚２に支持される棚４（図３参照）と、その棚４の両側に立設される側板５と、それら側板５に架設される天板６と、その天板６に垂設される前板７と、その前板７の下方に配設される鍵盤蓋８とを主に備えて構成されている。譜面板９は、天板６に立設可能に構成されており、大屋根１０は、天板６の後方に、閉状態で天板６と同一面となるように配設されている。鍵盤蓋８は、閉状態で略水平に左右の側板５に亘って配設されており、奏者側に配設される矩形状の前蓋８ａと、その前蓋８ａの後方に連結される矩形状の後蓋８ｂとを備えている。
【００１６】
図１（ｂ）に示すように、鍵盤蓋８は、閉状態で拍子木１１、鍵盤１２及び操作パネル１３を覆うための部材である。操作パネル１３は、鍵盤楽器１の設定や楽音制御のための操作子、各種情報を表示する表示部などの電子楽器としての機能要素（図示せず）が配設される部位であり、左右の側板５に亘って拍子木１１及び鍵盤１２の後方に配設されている。本実施の形態では、拍子木１１に、鍵盤楽器１の電源スイッチ等の一部の操作子やパイロットランプが配設されている。また、前蓋８ａは、前後方向において鍵盤１２の長さより短く形成されており、閉状態では、前蓋８ａ及び後蓋８ｂにより拍子木１１、鍵盤１２及び操作パネル１３が覆われる。
【００１７】
次に図２を参照して、前蓋８ａ及び後蓋８ｂ（鍵盤蓋８）について説明する。図２は前蓋８ａ及び後蓋８ｂの側面図である。前蓋８ａは、閉状態において、口棒１４（図１（ａ）参照）の上面に近接もしくは当接して拍子木１１及び鍵盤１２（図１（ｂ）参照）の前端面を覆う垂下部８ｃが、前端部から下方に向かって突設されている。前蓋８ａは、後部に回動軸１５が配設されている。後蓋８ｂは、前後方向において前蓋８ａより長く形成された板状の部材であり、前部に回動軸１５が配設され、前蓋８ａと連結されている。
【００１８】
回動軸１５は、後蓋８ｂに対して前蓋８ａを回動可能に支持する部材であり、１方向トルク型のトルク軸ユニットが内蔵されている。トルク軸ユニットは、後蓋８ｂに対して前蓋８ａが開方向（図２矢印Ａ方向）に回動する際にはトルクを発生させず、後蓋８ｂに対して前蓋８ａが閉方向（図２矢印Ｂ方向）に回動する際に所定のトルクを発生させる。これにより、開操作時には、軽微な力で前蓋８ａを開けることができると共に、閉操作時には、前蓋８ａを緩やかに閉めることができる。
【００１９】
また、回動軸１５にトルク軸ユニットを内蔵することにより、回動軸１５とは別にトルク軸ユニットを設ける場合と比較して、回動軸１５の周りにトルク軸ユニットを設けるスペースを必要としないので、スペースを有効活用できる。さらに、回動軸１５と別体にトルク軸ユニットが設けられるときは、トルク軸ユニットにより回動軸１５の周りの前蓋８ａ及び後蓋８ｂ（鍵盤蓋８）の外観が損ねられるところ、回動軸１５にトルク軸ユニットが内蔵されているので、鍵盤蓋８の外観を美麗にできる。
【００２０】
また、回動軸１５は、開方向（図２矢印Ａ方向）及び閉方向（図２矢印Ｂ方向）に回動するときは、所定の角度以上の回動を規制するストッパ（図示せず）が内設されている。これにより、所定の回動停止位置で前蓋８ａの回動を停止できる。具体的には、前蓋８ａは、後蓋８ｂと略同一面となるところに閉状態における回動停止位置（図２に実線で示す）が存在する。また、回動軸１５を中心に開方向（図２矢印Ａ方向）に１１０°程度回動し、後蓋８ｂ側に少し傾倒したところに開状態における回動停止位置（図２に二点鎖線で示す）が存在する。開状態における回動停止位置に前蓋８ａが達した後は、前蓋８ａが閉方向（図２矢印Ｂ方向）に回動する際に所定のトルクが必要なため、前蓋８ａの開状態は安定に維持される。
【００２１】
後蓋８ｂは、左右両側から下方に向かってアーム１６が延設されている。アーム１６は、Ｌ字状の部材で形成されており、後蓋８ｂの前側の側面に基部１６ａが固定される。これにより、基部１６ａの長さの分だけアーム１６を後蓋８ｂの後部に近づけることができると共に、アーム１６を後蓋８ｂに垂設できる。その結果、アーム１６から前蓋８ａの前端部（垂下部８ｃ）までの長さと、アーム１６から後蓋８ｂの後端部（ピニオン１８）までの長さとを略同一にでき、前蓋８ａ及び後蓋８ｂ（鍵盤蓋８）の重心をアーム１６近傍に位置させることができる。
【００２２】
係合ピン１７は、後述する前部ガイド溝１９と係合して前後方向の移動が案内される部材であり、アーム１６と略直交してアーム１６から後蓋８ｂの幅方向（図２紙面垂直方向）の外側に向かって突設されている。また、後蓋８ｂの後部の幅方向（図２紙面垂直方向）両側に、下面から下方に向かって後部案内部としてのピニオン１８が回転自在に取着されている。ピニオン１８は、後述するラック２０と係合して前後方向の移動が案内される部材である。
【００２３】
次に図３を参照して、鍵盤楽器１の蓋体構造について説明する。図３は、鍵盤１２及び操作パネル１３を遮蔽する図１（ｂ）のＩＩＩ−ＩＩＩ線における楽器本体３の断面図である。図３では大屋根１０等の記載を省略している。
【００２４】
図３に示すように、楽器本体３は、側板５の内側に前部案内部としての前部ガイド溝１９と、後部案内部としてのラック２０とを備えている。前部ガイド溝１９及びラック２０は、楽器本体３の左右両側に設けられている。なお、操作パネル１３は鍵盤１２（拍子木１１）の後方かつ上方に位置し、奏者側（図３左方向）に少し傾けて上向きに配設されている。操作パネル１３を奏者が操作し易くするためである。
【００２５】
前部ガイド溝１９は、係合ピン１７と係合して後蓋８ｂの前後方向の移動を案内する部位であり、楽器本体３の前後方向（図３左右方向）に沿って形成されている。本実施の形態では、前部ガイド溝１９は、上に凸の円弧状に形成された第１溝部１９ａ及び第２溝部１９ｂを備えて構成されている。第１溝部１９ａは、拍子木１１の後端面の近傍に前端を有し、操作パネル１３の下方に位置する。第２溝部１９ｂは、第１溝部１９ａの後端に連設され、前板７の後方かつラック２０の前端の近傍まで延設されている。第１溝部１９ａの後端、即ち第２溝部１９ｂの前端に、円弧状の第１溝部１９ａ及び第２溝部１９ｂが連設されることによって相対的に凹状となる係止部１９ｃが形成されている。
【００２６】
ラック２０は、ピニオン１８と係合して後蓋８ｂの前後方向の移動を案内する部材であり、楽器本体３の前後方向（図３左右方向）に沿って形成されている。また、ラック２０は前部ガイド溝１９より楽器本体３の後方に位置しており、本実施の形態では、棚４と略平行に配設されている。ラック２０の上方に、開蓋時の後蓋８ｂを収容する収容空間Ｓが形成されている。
【００２７】
図４を参照してラック２０及びピニオン１８について説明する。図４は、図３のＩＶ−ＩＶ線における楽器本体３の断面図である。ラック２０は、側板５に固定される取着部材２１の上面に配設されている。また、ラック２０の外側で上方には後部ガイド溝２２がラック２０と平行に形成されている。軸部２３は、左右の側板５にそれぞれ配設される取着部材２１の間隔に亘る長さをもつ部材であり、左右のピニオン１８に貫設され、その各軸端がそれぞれ後部ガイド溝２２に摺動自在に挿通される。
【００２８】
図３に戻って説明する。後部ガイド溝２２は、長手方向の略中央部の上部側を切欠した切欠部２２ａが形成されている。切欠部２２ａは、軸部２３（図４参照）の外径より幅広に形成されており、楽器本体３を組み立てる際に、軸部２３の軸端を後部ガイド溝２２内に導く部位である。閉塞部材２２ｂは、切欠部２２ａから後部ガイド溝２２内に軸部２３の軸端を導いた後、後部ガイド溝２２の上部に取着されて切欠部２２ａを閉塞するための部材である。
【００２９】
前部ガイド溝１９、ラック２０及び後部ガイド溝２２は、後蓋８ｂの開閉範囲をカバーする長さに設定されている。アーム１６から回動軸１５までの後蓋８ｂの長さと、前蓋８ａの長さとを加えた長さは、鍵盤１２（拍子木１１）の長さより少し大きくなるように設定されている。これにより、図３に示すように、前部ガイド溝１９の前端に係合ピン１７が当接した状態で前蓋８ａを閉じると、鍵盤１２（拍子木１１）が覆われる。
【００３０】
また、ラック２０及び後部ガイド溝２２は、操作パネル１３の後部と略同一の高さに配設されており、前部ガイド溝１９はラック２０及び後部ガイド溝２２より低い位置に形成されている。これにより、図３に示すように、前蓋８ａ及び後蓋８ｂは奏者側（図３左方向）に前傾し、前蓋８ａ及び後蓋８ｂの自重により前部ガイド溝１９の前端に係合ピン１７が当接した状態（閉状態）が維持される。
【００３１】
前部ガイド溝１９は、前部側に対して後部側が楽器本体３の上方（図３上方向）に位置するように緩やかに上昇している。具体的には、第１溝部１９ａの前端に対して係止部１９ｃが楽器本体３の上方に位置し、係止部１９ｃに対して第２溝部１９ｂの後端が楽器本体３の上方に位置する。これにより、後蓋８ｂを楽器本体３の後方（図３右方向）に向かって移動させると、アーム１６に突設された係合ピン１７が前部ガイド溝１９に係合しつつ移動し、前部ガイド溝１９の緩やかな上昇に伴い、後蓋８ｂの前部が上昇する。また、第１溝部１９ａから第２溝部１９ｂに移行する係止部１９ｃで上り勾配に変化するので、係合ピン１７の後方へのスムーズな移動を阻止できる。
【００３２】
第２溝部１９ｂの後端は、側板５の上端から棚４に向かって側板５の内側面に形成される縦溝２４の下端部に連設されている。そのため、鍵盤蓋８を楽器本体３に取着するときは、天板６、前板７及び閉塞部材２２ｂを取り外した状態で、まず、縦溝２４の上端に係合ピン１７を挿入し、縦溝２４に沿って係合ピン１７を下降させる。そして、第２溝部１９ｂの後端から前部ガイド溝１９に係合ピン１７を導入する。次いで、係合ピン１７を第１溝部１９ａ方向へ滑らせつつ、切欠部２２ａから軸部２３（図４参照）の軸端を後部ガイド溝２２に挿通する。そして、切欠部２２ａに閉塞部材２２ｂを取着することにより、楽器本体３へ鍵盤蓋８を容易に取着できる。
【００３３】
次に図５を参照して、奏者側に鍵盤１２を開放するときの鍵盤楽器１の使用方法について説明する。図５は鍵盤１２を開放する一方、操作パネル１３を遮蔽する楽器本体３の断面図である。奏者側に鍵盤１２を開放するときは、図３に示す鍵盤蓋８の閉状態において、垂下部８ｃを持って前蓋８ａを持ち上げる。このときは回動軸１５に内蔵されるトルク軸ユニット（図示せず）によるトルクは付与されないため、軽微な力で前蓋８ａを開けることができる。前蓋８ａは回動軸１５を中心に回動すると、回動停止位置（図２（二点鎖線）参照）で停止する。この回動停止位置において、前蓋８ａ及び垂下部８ｃの重心は、回動軸１５の軸心より後方に位置するように設定されている。これにより、前蓋８ａは開状態を安定に維持できる。
【００３４】
なお、前蓋８ａは、鍵盤１２の長さより短く設定されているので、前蓋８ａを回動しただけでは鍵盤１２の一部（前側）しか開放されない。さらに前蓋８ａを後方（図３右方向）に向かって押すと、軸部２３（図４参照）は後部ガイド溝２２に沿って移動し、ピニオン１８はラック２０と噛合しつつ移動する。これにより、後蓋８ｂはガタ付くことなくスムーズに楽器本体３内を移動する。また、左右のピニオン１８が軸部２３（図４参照）に貫設されているので、左右のピニオン１８の移動量を同期させることができ、鍵盤蓋８のどの部分を操作しても開閉動作を円滑かつ確実に行うことができる。
【００３５】
また、係合ピン１７は第１溝部１９ａに沿ってスムーズに移動するが、係止部１９ｃに達したところで後蓋８ｂのスムーズな移動が阻止され、係合ピン１７が係止される。また、図５に示すように、後蓋８ｂは奏者側（図５左方向）に前傾しているので、係合ピン１７を介して係止部１９ｃに荷重を作用させ、係止部１９ｃと係合ピン１７との間に生じる摩擦力を大きくすることができる。これにより、係止部１９ｃでの係合ピン１７の係止状態が維持される。
【００３６】
ここで、第１溝部１９ａの長さは、アーム１６から回動軸１５までの後蓋８ｂの長さと略同一に設定されている。また、第１溝部１９ａの上方に操作パネル１３が配設されているので、係合ピン１７が係止部１９ｃ（図４参照）に係止されると、回動軸１５が鍵盤１２（拍子木１１）及び操作パネル１３の境界の上方に位置する。これにより係合ピン１７が係止部１９ｃに係止される位置では、鍵盤１２を開放する一方、後蓋８ｂで操作パネル１３を遮蔽することができる。これにより、奏者側からみて、楽器本体３をアコースティックピアノに近い外観にすることができる。
【００３７】
また、このときに前蓋８ａの背面８ａ１が奏者側（図５左方向）に対向する。背面８ａ１は塗装等により光沢面とされているので、演奏中の奏者の手指を前蓋８ａの背面８ａ１に映すことができ、演奏中の奏者の満足度を高めることができる。
【００３８】
次に図６を参照して、奏者側に鍵盤１２及び操作パネル１３を開放するときの鍵盤楽器１の使用方法について説明する。図６は鍵盤１２（拍子木１１）及び操作パネル１３を開放する楽器本体３の断面図である。奏者側に鍵盤１２及び操作パネル１３を開放するときは、図５における状態から、さらに前蓋８ａを後方（図５右方向）に向かって押すと、係合ピン１７が係止部１９ｃから第２溝部１９ｂに移行する。係合ピン１７が第２溝部１９ｂの後端に当接すると、それ以上の後方への移動が停止する。
【００３９】
ここで、第２溝部１９ｂの長さは、操作パネル１３の前後方向（図６左右方向）の長さと略同一に設定されているので、係合ピン１７が第２溝部１９ｂの後端に当接すると、回動軸１５が操作パネル１３の後部の上方に位置する。その結果、係合ピン１７が第２溝部１９ｂの後端に当接する位置では、鍵盤１２及び操作パネル１３を開放できる。これにより、奏者は操作パネル１３の操作子等を操作しつつ鍵盤１２を操作することが可能となる。このときも前蓋８ａの背面８ａ１が奏者側（図５左方向）に対向するので、演奏中の奏者の手指を前蓋８ａの背面（光沢面）８ａ１に映すことができ、演奏中の奏者の満足度を高めることができる。
【００４０】
また、前部ガイド溝１９は、前部側に対して後部側が楽器本体３の上方（図６上方向）に位置するように上昇しているので、係合ピン１７の後方への移動に伴い、後蓋８ｂの前部が上昇する。そのため、操作パネル１３を鍵盤１２より高い位置に配設したり奏者側に傾けて配設したりする場合でも、後蓋８ｂが前後に移動するときに、後蓋８ｂの前部が操作パネル１３に干渉することを防止できる。これにより、操作パネル１３の配設位置や操作パネル１３のデザインの自由度を向上できる。
【００４１】
以上説明したように本実施の形態によれば、ラック２０は前部ガイド溝１９より後方に位置し、前部ガイド溝１９及びラック２０は係合ピン１７及びピニオン１８とそれぞれ係合するので、前部ガイド溝１９及びラック２０の間で後蓋８ｂは支持され、その姿勢をほぼ維持したまま、前板７の下方を通過して後方へ移動される。前板７の下部とラック２０との隙間および収容空間Ｓは、少なくとも後蓋８ｂの厚さがあれば足りるので、楽器本体３の全高を低く抑えることができる。よって、楽器本体３のデザインの自由度を向上できる。
【００４２】
また、前蓋８ａは鍵盤１２の長さより短い長さに形成されているので、楽器本体３の高さ（前板７の鉛直方向の長さ）を必要以上に大きくしなくても、開状態にあるときの前蓋８ａの前端（垂下部８ｃ）が、楽器本体３から上方（図６上方向）に突出しないようにできる。これにより、前蓋８ａの長さとの関係においても、楽器本体３の全高を低く抑えることができ、楽器本体３のデザインの自由度を向上できる。なお、鍵盤楽器１は天板６に譜面板９（図１（ａ）参照）が配設されているので、楽器本体３の全高を低く抑えて天板６の高さを低く抑えることができれば、奏者の目線の高さと譜面の高さとの関係を十分に配慮して、楽器本体３をデザインすることができる。
【００４３】
また、係合ピン１７は、後蓋８ｂから下方に向かって延設されるアーム１６に突設されると共に、前部ガイド溝１９は操作パネル１３より下方に位置するので、前部ガイド溝１９を、楽器本体３の目立ち難いところに位置させることができる。これにより、奏者に対して前部ガイド溝１９が目障りになることを防止でき、鍵盤楽器１の見栄えを良くすることができる。
【００４４】
ここで、従来の鍵盤楽器では、板材を分割して鎧戸状に形成し、これらを屈曲可能に連結して前後方向にスライド可能に構成する鍵盤蓋があった。鍵盤蓋は鍵盤１２及び操作パネル１３を覆う部材であるから、従来の鍵盤楽器では、鍵盤蓋を前後にスライド可能に案内するガイド溝が、側板５の前方から後方に亘って、奏者の目につくところに形成されていた。この場合は、側板５の前方に形成されたガイド溝が奏者の目障りになることがあった。
【００４５】
これに対し、上記実施の形態における鍵盤楽器１では、後蓋８ｂから下方に向かって延設されるアーム１６に係合ピン１７が突設され、その係合ピン１７が操作パネル１３の下方に形成される前部ガイド溝１９に係合するので、前部ガイド溝１９が操作パネル１３で目隠しされる。また、ラック２０は前板７で目隠しされる。これにより、前部ガイド溝１９やラック２０が奏者の目障りになることを防ぎ、開蓋時の外観の悪化を防止できる。
【００４６】
また、開蓋時に、後蓋８ｂに対して前蓋８ａが起立される分、前板７から後方に突き出る後蓋８ｂの長さ（後蓋８ｂの可動範囲）を短くできる。これにより、開蓋時に後蓋８ｂを収容するのに必要な楽器本体３の奥行き（収容空間Ｓの奥行き）を短くできる。この点からも楽器本体３のデザインの自由度を向上できる。その結果、楽器としての高級感と前後寸法の低減とを両立できる鍵盤楽器１を実現できる。
【００４７】
ここで、後蓋８ｂの可動範囲は、干渉を避けるために各種の部品を配置できない。しかし、鍵盤楽器１では後蓋８ｂの可動範囲を小さくできるので、楽器本体３の後部のスペースを有効利用できると共に、部品配置の自由度も向上できる。
【００４８】
なお、本実施の形態において、係合ピン１７は前部係合部に該当し、前部ガイド溝１９は前部案内部に該当する。ピニオン１８は後部係合部に該当し、ラック２０は後部案内部に該当する。また、軸部２３の軸端は後部係合部に該当し、後部ガイド溝２２は後部案内部に該当する。
【００４９】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記実施の形態で挙げた数値は一例であり、他の数値を採用することは当然可能である。
【００５０】
上記実施の形態では、一例としてグランドピアノ型の鍵盤楽器１を説明したが、必ずしもこれに限られるものではなく、アップライトピアノやオルガン等の他の鍵盤楽器に適用することは当然可能である。
【００５１】
上記実施の形態では、前部係合部としての係合ピン１７が前部案内部としての前部ガイド溝１９に係合する場合について説明したが、必ずしもこれに限られるものではなく、これらの部材の凹凸関係を逆にすることは当然可能である。例えば、前部ガイド溝１９を突条（前部案内部）に置き換え、係合ピン１７をこの突条に係合する凹所を有するＵ字状部材（前部係合部）に置き換えることが挙げられる。同様に、凹所を有し軸部２３に対して回動自在に形成されるＵ字状部材を軸部２３の両端に設けると共に、これに係合する突条を後部ガイド溝２２に置き換えることにより、ピニオン１８がラック２０から離脱するのを防止するようにすることも可能である。
【００５２】
上記実施の形態では、アーム１６に係合ピン１７（前部係合部）を突設し、楽器本体３に前部ガイド溝１９（前部案内部）を設ける場合について説明したが、これらの部材の関係を逆にすることは当然可能である。例えば、アーム１６を前後方向に長く形成し、このアーム１６にガイド溝（前部係合部）を係合ピン１７に代えて形成する一方、このガイド溝（前部係合部）と係合する凸状の係合ピン（前部案内部）を前部ガイド溝１９に代えて楽器本体３に設けることが挙げられる。また、その場合のアーム１６に設けるガイド溝（前部係合部）を突条に置き換え、係合ピン（前部案内部）をこの突条に係合する凹所を有するＵ字状部材に置き換えることも可能である。
【００５３】
上記実施の形態では、後蓋８ｂにピニオン１８（後部係合部）を設ける一方、楽器本体３（側板５）にラック２０（後部案内部）を設ける場合について説明したが、必ずしもこれに限られるものではなく、この関係を逆にすることは当然可能である。例えば、前後方向に沿ってラック（後部係合部）を後蓋８ｂに固設する一方、これに係合するピニオン（後部案内部）を楽器本体３（側板５）に固設することが挙げられる。
【００５４】
以上、係合ピン１７（前部係合部）、ピニオン１８（後部係合部）、前部ガイド溝１９（前部案内部）、ラック２０（後部案内部）は一例であることを説明した。前部係合部または前部案内部の一方は、前後方向に延びる溝、ラック、突条等により構成され、前部係合部または前部案内部の他方は、それらに係合可能なピン、ピニオン、ローラ、凹状部材等により構成されていれば、後蓋８ｂを前後方向に案内できる。
【００５５】
同様に、後部係合部または後部案内部の一方は、前後方向に延びる溝、ラック、突条等により構成され、後部係合部または後部案内部の他方は、それらに係合可能なピン、ピニオン、ローラ、凹状部材等により構成されていれば良い。
【００５６】
また、上記実施の形態では、前部係合部および後部係合部を別々に構成する場合について説明したが、前部係合部と後部係合部とは構成の一部が共通であってもよい。例えば、前部係合部および後部係合部が溝状ガイドにより構成されていた場合、前部係合部と後部係合部とがひとつながりの溝状ガイドになっていてもよい。同様に、前部案内部と後部案内部とは構成の一部が共通であってもよく、前部案内部および後部案内部が溝状ガイドにより構成されていた場合、前部案内部と後部案内部とをひとつながりの溝状ガイドにしてもよい。
【００５７】
上記実施の形態では、後蓋８ｂのスライドをスムーズにするため、ラック２０及びピニオン１８を用いる場合について説明したが、必ずしもこれに限られるものではなく、互いに係合可能な他の部材にすることは可能である。他の部材としては、例えば、ガイドレールと、このガイドレール上を摩擦力によって保持されながら転動する転動体（例えばゴムローラ）とを挙げることができる。また、前部ガイド溝１９及び係合ピン１７と同様の溝状ガイド及びこれに係合するピンとすることも可能である。この場合は、左右のラック２０及びピニオン１８による同期作用は得られないが、前後動の案内精度を高めること等により、鍵盤蓋８の開閉時に後蓋８ｂが左右に振れることを防止できる。
【００５８】
また、後部係合部および後部案内部は、係合ピン及びガイド溝、ピニオン及びラックのような構成でなくても、より単純な部材により構成することが可能である。例えば、後蓋８ｂの一部（後部）を後部係合部とすると共に、楽器本体３（側板等）に角材等により突条のガイドを設け、この突条のガイドを後部案内部とすることが可能である。この場合も、後蓋８ｂは後部案内部に沿って前後方向に案内される。このような単純な部材により後部係合部および後部案内部を構成することにより、鍵盤楽器１の製造工数を削減できる。
【００５９】
上記実施の形態では、前部ガイド溝１９に係止部１９ｃが形成される場合について説明したが、必ずしもこれに限られるものではなく、前部ガイド溝１９に係止部１９ｃを設けるのに代えて、ラック２０や後部ガイド溝２２の所定位置にピニオン１８の転動を係止する係止部を設けることが可能である。この場合も上記実施の形態と同様に、後蓋８ｂの前後方向への移動を所定位置で係止することが可能である。
【００６０】
上記実施の形態では、後蓋８ｂの全開時（図６参照）に、係合ピン１７が前部ガイド溝１９の後端に当接して後蓋８ｂの移動が停止されていたが、必ずしもこれに限られるものではなく、ラック２０にストッパを別個に設け、そのストッパにピニオン１８を当接または係止することにより後蓋８ｂの移動が停止されるようにすることが可能である。また、鍵盤蓋８のいずれかの部分に当接または係止するストッパを、別個に楽器本体３に設けることも可能である。
【符号の説明】
【００６１】
１      鍵盤楽器
３      楽器本体
８ａ    前蓋
８ｂ    後蓋
１２    鍵盤
１３    操作パネル
１５    回動軸
１６    アーム
１７    係合ピン（前部係合部）
１８    ピニオン（後部係合部）
１９    前部ガイド溝（前部案内部）
１９ｃ  係止部
２０    ラック（後部案内部）
【図１】
2012145727.tif 000003
【図２】
2012145727.tif 000004
【図３】
2012145727.tif 000005
【図４】
2012145727.tif 000006
【図５】
2012145727.tif 000007
【図６】
2012145727.tif 000008